(57)【要約】【課題】ＩＣの高圧操作時に補償電流を提供でき、ＰＷＭの周波数を調整可能な電流補償装置を提供する。【解決手段】電流補償装置１０はＩＣ２０に高圧操作時の電流補償を提供し、電流補償装置１０は探知ユニット１１０、整流器１２０、フィルタユニット１３０、スイッチパーツ１４０からなり、探知ユニット１１０は交流電圧源Ｖａｃに電気的に連接し、整流器１２０は探知ユニット１１０に電気的に連接し、フィルタユニット１３０は整流器１２０に電気的に連接し、スイッチパーツ１４０はフィルタユニット１３０及びＩＣ２０に電気的に連接し、スイッチパーツ１４０は交流電圧源Ｖａｃが予定値より大きい時に導通し、補償電流を生じＩＣ２０に提供し、ＰＷＭの周波数を調整し、力率(Power factor)を高めることができる。【選択図】図２
0003173278.tif 000002
【実用新案登録請求の範囲】
【請求項１】
電流補償装置は、ＩＣに、高圧操作時の電流補償を提供し、
該電流補償装置は、探知ユニット、整流器、フィルタユニット、スイッチパーツ、レジスターからなり、
該探知ユニットは、交流電圧源に電気的に連接し、
該整流器は、該探知ユニットに電気的に連接し、
該フィルタユニットは、該整流器に電気的に連接し、
該スイッチパーツは、該フィルタユニットに電気的に連接し、
該レジスターは、該スイッチパーツ及び該ＩＣに電気的に連接し、
該スイッチパーツは、該交流電圧源が、予定値より大きい時に導通し、電流を生じて該ＩＣに提供したことを特徴とする電流補償装置。
【請求項２】
前記探知ユニットは、少なくとも２個の直列接続の第一レジスター及び第二レジスターを備えたことを特徴とする請求項１に記載の電流補償装置。
【請求項３】
前記整流器は、半波整流器で、しかもダイオードを備え、
該ダイオードは、該第一レジスター及び該第二レジスターに電気的に連接したことを特徴とする請求項２に記載の電流補償装置。
【請求項４】
前記フィルタユニットは、フィルタコンデンサ及びフィルタレジスターを備え、
該フィルタレジスターは、該フィルタコンデンサに並列し電気的に連接したことを特徴とする請求項１に記載の電流補償装置。
【請求項５】
前記スイッチパーツは、ＴＫ４３１レギュレータであることを特徴とする請求項１に記載の電流補償装置。
【請求項６】
前記ＴＬ４３１レギュレータは、アノード、カソード、参考端を備え、
該アノードは、該レジスターに電気的に連接し、
該カソードは、直流電圧源に電気的に連接し、
該参考端は、該フィルタユニットに電気的に連接したことを特徴とする請求項５に記載の電流補償装置。
【請求項７】
前記電流補償装置はさらに、同期ユニットを備え、該交流電圧源及び該スイッチパーツに電気的に連接したことを特徴とする請求項１に記載の電流補償装置。
【考案の詳細な説明】
【技術分野】
【０００１】
本考案は電流補償回路に関し、特にＩＣの高圧操作時の電流補償回路で、電流補償回路はＩＣの高圧操作時に補償電流を該ＩＣに提供することができ、同時にＰＷＭの周波数を調整可能な電流補償装置に関する。
【背景技術】
【０００２】
電源装置であるパワーサプライは、電子製品に電力を提供するためなくてはならない装置である。その内部には通常、電源コンバータを備える。
中でも、転換式パワーサプライは、パルス幅変調（Pulse Width Modulation）方式を利用し、インプットパワーの大きさを調整し、適当な負荷を供給している。
パルス幅変調器は、スイッチの切り換えを制御し、ＤＣインプット電圧を、電圧パルスに切り換える。
この後、変圧器とダイオードを利用し、その転換され平滑となったＤＣ電圧をアウトプットする。
【０００３】
このアウトプット電圧を、すぐに参考電圧と比較する。
こうして生じた電圧差を、ＰＷＭのコントローラにフィードバックし、この誤差電圧信号を利用して、パルス幅の大きさを改変する。
もし、アウトプット電圧が高すぎれば、パルス幅は減小し、こうして電源供給を減らし、アウトプット電圧を正常なアウトプット値に回復させることができる。
【０００４】
しかしこれにより、該電源コンバータの高圧操作状態下での力率（power factor）は低下し、電力システムの給電損失を増加させてしまう。
本考案は、従来のシステムの上記した欠点に鑑みてなされたものである。
【先行技術文献】
【特許文献】
【０００５】
【特許文献１】特開平６−７８５６４
【考案の概要】
【考案が解決しようとする課題】
【０００６】
本考案が解決しようとする課題は、電源コンバータの力率を効果的に向上させられる電流補償装置を提供することである。
【課題を解決するための手段】
【０００７】
上記課題を解決するため、本考案は下記の電流補償装置を提供する。
電流補償装置は、ＩＣに高圧操作時の電流補償を提供し、
該電流補償装置は、探知ユニット、整流器、フィルタユニット、スイッチパーツからなり、
該探知ユニットは、交流電圧源に電気的に連接し、
該整流器は、該探知ユニットに電気的に連接し、
該フィルタユニットは、該整流器に電気的に連接し、
該スイッチパーツは、該フィルタユニット及び該ＩＣに電気的に連接し、
該スイッチパーツは、該交流電圧源が、予定値より大きい時に導通し、電流を生じ  て該ＩＣに提供し、
本考案の該電流補償回路は、該探知ユニットを通して、該交流電圧源を取り、該整流器及びフィルタユニットを経て、該スイッチパーツに伝送し、
該スイッチパーツは、該交流電圧源が、予定値より大きい時に導通し、電流を生じて該ＩＣに提供し、
同時にＰＷＭの周波数を調整可能で、力率（Power factor）を高めることができる。
【考案の効果】
【０００８】
本考案の電流補償装置は、ＩＣの高圧操作時に補償電流を該ＩＣに提供することができ、同時にＰＷＭの周波数を調整可能で、力率（Power factor）を高めることができる。
【図面の簡単な説明】
【０００９】
【図１】本考案電流補償装置の回路ブロックチャートである。
【図２】本考案電流補償装置の回路図である。
【図３】本考案電流補償装置の各ノード電圧−時間の波形図である。
【図４】本考案別種の電流補償装置の回路図である。
【考案を実施するための形態】
【００１０】
以下に図面を参照しながら本考案を実施するための最良の形態について詳細に説明する。
【実施例】
【００１１】
図１は、本考案電流補償装置の回路ブロックチャートである。該電流補償装置１０は、パワーサプライ（図示なし）内部に設置し、ＩＣ(integrated circuit)２０に電気的に連接する。該パワーサプライは主に、該ＩＣ２０を駆動する電力を提供するために用いる。
【００１２】
該電流補償装置１０は、該ＩＣ２０の高圧操作時に、補償電流を該ＩＣ２０に提供し、同時に該パワーサプライのＰＷＭ周波数を調整し、こうして力率を高める。
該電流補償装置１０は、探知ユニット１１０、整流器１２０、フィルタユニット１３０、スイッチパーツ１４０からなる。
同時に、本考案電流補償装置の回路図である図２に示すように、該探知ユニット１１０は、交流電圧源Ｖａｃに電気的に連接する。
【００１３】
本実施例中では、該交流電圧源Ｖａｃは、図３（ａ）に示すように、正弦波交流電圧源を提供する。
該整流器１２０は、該探知ユニット１１０に電気的に連接し、該フィルタユニット１３０は、該整流器１２０に電気的に連接し、該スイッチパーツ１４０は、該フィルタユニット１３０及び該ＩＣ２０に電気的に連接する。
【００１４】
該探知ユニット１１０は、第一レジスターＲ１及び第二レジスターＲ２を備え、該第一レジスターＲ１は、該交流電圧源Ｖａｃに電気的に連接し、該第二レジスターＲ２を通してアース端に電気的に連接する。
【００１５】
該交流電源Ｖａｃは、該第一レジスターＲ１及び該第二レジスターＲ２を経て分圧され、ノードｘにおいて第一電圧Ｖｘを生じる。
該第一電圧Ｖｘの波形は、図３（ｂ）に示す通りで、中でも図３（ｂ）中の点線は、交流電圧源Ｖａｃを表わす。
【００１６】
該第一レジスターＲ１及び該第二レジスターＲ２のレジスタンスの調整を通して、該第一電圧Ｖｘの大きさを調整することができる。
該整流器１２０は主に、プラスとマイナスが双方向に交差する信号（前記の交流電圧源Ｖａｃなど）を、単方向変動の信号に転換する。
【００１７】
本実施例中では、該整流器１２０は、半波整流(half-wave rectification)を提供し、該整流器１２０は、ダイオードＤを備え、該ダイオードＤは、該第一レジスターＲ１及び該第二レジスターＲ２に電気的に連接する。
【００１８】
本実施例中では、該ダイオードＤのアノード（Ａ点）は、該ノードｘに連接し、これによりノードｙが得た第二電圧Ｖｙの波形は、図３（ｃ）に示すように、インプット波形（図３（ｂ）参照）の正半周波形に等しい。
【００１９】
実際の実施時には、該整流器１２０は、全波整流(full-wave rectification)を提供することができる。
該フィルタユニット１３０は、整流後の電圧の余分な高調波分量を濾過してしまい、平滑で安定した直流電圧アウトプットを得ることができる。
【００２０】
該フィルタユニット１３０は、該ダイオードＤのカソード（Ｋ点）に電気的に連接し、該フィルタユニット１３０は、フィルタコンデンサＣｆを備え、該フィルタコンデンサＣｆのフィルタレジスターＲｆに並列接続する。
該フィルタコンデンサＣｆを通して充／放電を行い、ノードｚにおいて、比較的平滑で安定した第三電圧Ｖｚを得ることができる。
該第三電圧Ｖｚの波形は、図３（ｄ）に示す。
【００２１】
本実施例中では、該スイッチパーツ１４０は、ＴＬ４３１レギュレータであるが、実際の実施時には、これに限定しない。
該ＴＫ４３１レギュレータは、アノード(anode)Ａ、カソード(cathode)Ｋ、ＲＥＦ端を備え、該ＲＥＦ端は、該フィルタユニット１３０に電気的に連接し、該第三電圧Ｖｚを取得する。
【００２２】
該第三電圧Ｖｚの大きさは、該ＴＬ４３１レギュレータが駆動されるか否かを決定する。
該ＴＬ４３１レギュレータのカソードＫは、直流電圧源Ｖｃｃに電気的に連接し、アノードＡは、レジスターＲを通過し、該ＩＣ２０に電気的に連接する。
該第三電圧Ｖｚが、該ＴＬ４３１レギュレータに予め設置する参考電圧（２．５Ｖ）より小さいと、該ＴＬ４３１レギュレータは遮断を形成し、しかも該レジスターＲには電流が流れない。
【００２３】
該第三電圧Ｖｚが、該ＴＬ４３１レギュレータの該参考電圧より大きいと、該ＴＬ４３１レギュレータは導通し、しかも電流Ｉを生じ該レジスターＲを流れる。
こうして、該ＩＣ２０に補償電流を効果的に提供でき、これにより該ＩＣ２０の導通時間を改変することができる。
【００２４】
すなわち、該ＩＣ２０の導通周波数は、こうして該パワーサプライの高圧操作下での力率を高めることができ、電磁干擾(electromagnetic interference、EMI)を減らすことができる。
この他、該ＴＬ  ４３１レギュレータのカソードＫは、同期ユニット１５０を通過し、該交流電圧源Ｖａｃ及び該スイッチパーツ１４０に電気的に連接することができる。
【００２５】
図４に示すように、こうして該電流Ｉは、該交流電圧源Ｖａｃの変動に応じて、タイムリーに変化し、しかも好ましくは、該電流Ｉと該交流電圧源Ｖａｃは正比例し、該ＩＣ２０に最適な補償電流値を提供し、こうして該パワーサプライの高圧操作下での力率を高めることができる。
【００２６】
上記したように、本考案の電流補償装置１０は、該探知ユニット１１０を通して、該交流電圧源Ｖａｃを探知し、該第一レジスターＲ１及び該第二レジスターＲ２を通して分圧を行う。
【００２７】
さらに、該整流器１２０及び該フィルタユニット１３０を通過後、第三電圧Ｖｚを生じ、該スイッチパーツ１４０に提供し、しかも該第三電圧Ｖｚが該予定値より大きい時には、該スイッチパーツ１４０は導通し、該電流Ｉを生じ、該ＩＣ２０に提供し、これにより該ＩＣ２０の導通周波数を改変し、こうしてパワーサプライの力率を高めることができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３０】
１０    電流補償装置
１１０  探知ユニット
１２０  整流器
１３０  フィルタユニット
１４０  スイッチパーツ
１５０  同期ユニット
２０    ＩＣ
Ａ      アノード
Ｃｆ    フィルタコンデンサ
Ｄ      ダイオード
Ｋ      カソード
Ｉ      電流
Ｒ      レジスター
Ｒ１    第一レジスター
Ｒ２    第二レジスター
Ｒｆ    フィルタレジスター
Ｖａｃ  交流電圧源
Ｖｃｃ  直流電圧源
Ｖｘ    第一電圧
Ｖｙ    第二電圧
Ｖｚ    第三電圧
ｘ、ｙ、ｚ  ノード
【図１】
0003173278.tif 000003
【図２】
0003173278.tif 000004
【図３】
0003173278.tif 000005
【図４】
0003173278.tif 000006